(57)【要約】【課題】  横管部からの排水を下流側に案内する案内機能と、縦管部の上流側への逆流を防止する逆流防止機能とを有効に発揮できる逆止弁構造を提供する。【解決手段】  排出管１２が、排水が上方から流入される縦管部１２ｂと、排水が側方から流入される横管部１２ａとを備える。縦管部１２ｂにおける横管部１２ａの接続部よりも上位に逆止弁１６が装着される。逆止弁１６は、縦管部１２ｂ固定される弁本体部１７と、弁本体部１７の下面より下方に延設されると共に、横管部１２ａの接続部に対向して配置された弾性変形自在な吊下げ舌片部１８とを備える。吊下げ舌片部１８で仕切られた横管部１２ａが接続された側と反対側の空間部と、上方の流出管１４の空間部とを連通させる連通路１９が、弁本体部１７に形成されている。【選択図】    図１
2008121338.tif 000002
【特許請求の範囲】
【請求項１】
排出管が、第１の排水が上方から流入される縦管部と、該縦管部の高さ方向中間部に接続されると共に第２の排水が側方から流入される横管部とを備え、
前記縦管部における前記横管部の接続部よりも上位に逆止弁が装着され、横管部から流入する第２の排水が縦管部の上流側に対する逆流を防止する逆止弁構造において、
前記逆止弁は、前記縦管部に回り止め状態で密着状に固定される弁本体部と、縦管部における前記横管部が接続された側とその反対側とを仕切って、弁本体部の下面より下方に延設配置されると共に、横管部の接続部に対向して配置された薄肉状の弾性変形自在な吊下げ舌片部とを備え、
前記吊下げ舌片部で仕切られた前記横管部が接続された側と反対側の空間部と、前記第１の排水が流入される前記弁本体部の上部の空間部とを連通させる連通路が、弁本体部に形成されていることを特徴とする逆止弁構造。
【請求項２】
請求項１に記載の逆止弁構造において、
前記第１の排水が、シンクに備えられた溢水孔からの排水とされ、前記第２の排水が、シンクの排水口に装着された厨芥処理装置の排出口からの排水とされていることを特徴とする逆止弁構造。
【請求項３】
請求項１または請求項２に記載の逆止弁構造において、
前記吊下げ舌片部の少なくとも幅方向両側部に、上下方向の補強リブが備えられていることを特徴とする逆止弁構造。
【請求項４】
請求項１ないし請求項３のいずれかに記載の逆止弁構造において、
前記弁本体部の上面が、前記連通路方向に対して下降傾斜する排水案内面とされていることを特徴とする逆止弁構造。
【請求項５】
請求項１ないし請求項４のいずれかに記載の逆止弁構造において、
前記弁本体部の上面に、平面視で前記吊下げ舌片部と直交して上向きに突設されると共にその長さ方向両側で形状の異なるセット向き視認リブが備えられていることを特徴とする逆止弁構造。
【発明の詳細な説明】
【技術分野】
【０００１】
本発明は、シンクに装着された厨芥処理装置からの排水と、シンクの溢水孔からの排水との合流部分等に装着される逆止弁構造に関するものである。
【背景技術】
【０００２】
従来、厨房の生ゴミ等を破砕して排出する厨芥処理装置がシンクの排水口に装着され、この厨芥処理装置の排出口からの排水と、シンクの溢水孔等の排水との合流部分に、逆流を防止するための構造を備えた構造のものが提案されている（例えば、特許文献１および特許文献２参照。）。
【０００３】
即ち、特許文献１によれば、排水マニホールド内に設けた排水ガイドの作用により逆流を防止する構造とされている。
【０００４】
また、特許文献２によれば、排出管の縦管部にシンクの溢水孔等からの配管が接続され、排出管の横管部に厨芥処理装置の排出口が接続され、縦管部の上部に逆止弁を備えることにより、逆流を防止する構造とされている。
【０００５】
【特許文献１】特開２０００−２７９８３７号公報
【特許文献２】特開２００４−６６１５４号公報
【発明の開示】
【発明が解決しようとする課題】
【０００６】
しかしながら、特許文献１に開示の構造によれば、厨芥処理装置からの排水を排水ガイドによって下流側に案内する案内機能を有しているだけであり、シンクの溢水孔等からの排水路を閉塞する機能が無く、厨芥処理装置からの排水時に、排水経路における排水性の悪化により、排水経路内の水位が上昇してきた場合には、逆流するおそれがあった。
【０００７】
また、特許文献２に開示の構造によれば、逆止弁により、シンクの溢水孔等からの排水路に対する逆流を防止する逆流防止機能を有効に発揮できるものの、厨芥処理装置からの排水を下流側に案内するような案内機能は何ら有していない。
【０００８】
そこで、本発明はこれらの問題点に鑑み、横管部からの排水を下流側に案内する案内機能と、縦管部の上流側への逆流を防止する逆流防止機能とを有効に発揮できる逆止弁構造を提供することを目的とする。
【課題を解決するための手段】
【０００９】
上記課題を解決するための技術的手段は、排出管が、第１の排水が上方から流入される縦管部と、該縦管部の高さ方向中間部に接続されると共に第２の排水が側方から流入される横管部とを備え、前記縦管部における前記横管部の接続部よりも上位に逆止弁が装着され、横管部から流入する第２の排水が縦管部の上流側に対する逆流を防止する逆止弁構造において、前記逆止弁は、前記縦管部に回り止め状態で密着状に固定される弁本体部と、縦管部における前記横管部が接続された側とその反対側とを仕切って、弁本体部の下面より下方に延設配置されると共に、横管部の接続部に対向して配置された薄肉状の弾性変形自在な吊下げ舌片部とを備え、前記吊下げ舌片部で仕切られた前記横管部が接続された側と反対側の空間部と、前記第１の排水が流入される前記弁本体部の上部の空間部とを連通させる連通路が、弁本体部に形成されている点にある。
【００１０】
また、前記第１の排水が、シンクに備えられた溢水孔からの排水とされ、前記第２の排水が、シンクの排水口に装着された厨芥処理装置の排出口からの排水とされている構造としてもよい。
【００１１】
さらに、前記吊下げ舌片部の少なくとも幅方向両側部に、上下方向の補強リブが備えられている構造としてもよい。
【００１２】
また、前記弁本体部の上面が、前記連通路方向に対して下降傾斜する排水案内面とされている構造としてもよい。
【００１３】
さらに、前記弁本体部の上面に、平面視で前記吊下げ舌片部と直交して上向きに突設されると共にその長さ方向両側で形状の異なるセット向き視認リブが備えられている構造としてもよい。
【発明の効果】
【００１４】
以上のように、本発明の逆止弁構造によれば、逆止弁は、縦管部に回り止め状態で密着状に固定される弁本体部と、縦管部における横管部が接続された側とその反対側とを仕切って、弁本体部の下面より下方に延設配置されると共に、横管部の接続部に対向して配置された薄肉状の弾性変形自在な吊下げ舌片部とを備え、吊下げ舌片部で仕切られた横管部が接続された側と反対側の空間部と、第１の排水が流入される前記弁本体部の上部の空間部とを連通させる連通路が、弁本体部に形成されている構造とされているため、縦管部の上方から流入する第１の排水は、逆止弁の弁本体部に形成された連通路を通じて縦管部の下流側に排出される。
【００１５】
また、横管部の側方から流入する第２の排水は、横管部の接続部に対向して配置された逆止弁の吊下げ舌片部に衝突した後、縦管部の下流側に排出される。この際、吊下げ舌片部は第２の排水の衝突により、遊端側である下端側が横管部の接続部と反対側の縦管部の内面側に接触するように撓み変形し、この吊下げ舌片部の撓み変形により、第２の排水を下流側に案内する案内機能が有効に発揮できる利点がある。
【００１６】
さらに、この第２の排水による排水状態で、排水経路における排水性の悪化により、排水経路内の水位が上昇してきた場合には、吊下げ舌片部の撓み変形による吊下げ舌片部と縦管部の内周面との接触により、連通路が閉塞された状態となり、縦管部の上流側への逆流を防止する逆流防止機能が有効に発揮できる利点もある。
【００１７】
また、第１の排水が、シンクに備えられた溢水孔からの排水とされ、第２の排水が、シンクの排水口に装着された厨芥処理装置の排出口からの排水とされている構造とすれば、厨芥処理装置からの排水時における溢水孔方向への逆流が有効に防止できる。
【００１８】
さらに、吊下げ舌片部の少なくとも幅方向両側部に、上下方向の補強リブが備えられている構造とすれば、補強リブによる補強効果により、吊下げ舌片部の両側部における不用意な変形が有効に防止でき、吊下げ舌片部による連通路側排水路の閉塞状態がより良好に確保でき、逆流防止効果がより有効に発揮できる。
【００１９】
また、弁本体部の上面が、連通路方向に対して下降傾斜する排水案内面とされている構造とすれば、溢水孔等から排水の流れが円滑になされる利点がある。
【００２０】
さらに、弁本体部の上面に、平面視で吊下げ舌片部と直交して上向きに突設されると共にその長さ方向両側で形状の異なるセット向き視認リブが備えられている構造とすれば、逆止弁を縦管部にセットする際に、セット向き視認リブの形状の向きにより、セットする向きの間違いを有効に防止できる。
【発明を実施するための最良の形態】
【００２１】
以下、本発明の実施形態を図面に基づいて説明すると、図１ないし図４に示される如く、厨芥処理装置１は、その上端部が流し台におけるシンク２の排水口３に、吊持状態で装着された構造とされている。
【００２２】
厨芥処理装置１は、厨芥投入口５から投入された厨芥が収容される破砕室６と、破砕室６の厨芥を固定刃７との協働により破砕するスイングハンマ８を駆動するモータ部９と、破砕室６で破砕された厨芥が案内される排出室１０とを備え、排出室１０の排出口１０ａに排出管１２の横管部１２ａが接続されている。
【００２３】
前記排出管１２は上下方向に配置される縦管部１２ｂと、該縦管部１２ｂの高さ方向中間部の一側部に接続された前記横管部１２ａとを備えたいわゆるＴ字管構造とされており、縦管部１２ｂの上部に、シンク２に備えられた溢水孔１３からの流出管１４が接続されている。この際、流出管１４の上部はゴムパイプ等の可撓管１４ａにより構成されている。
【００２４】
また、排出管１２における縦管部１２ｂの下部は、図示省略のトラップ管等を介して横引き管に接続されている。
【００２５】
そして、本実施形態においては、縦管部１２ｂにおける横管部１２ａの接続部よりも上位に位置して逆止弁１６が着脱可能に装着されている。この逆止弁１６はゴム等の弾性体からなり、縦管部１２ｂの内径よりも若干大径に構成された弁本体部１７と、図１に示されるように、縦管部１２ｂにおける横管部１２ａが接続された側とその反対側とを略径方向に仕切って、弁本体部１７の下面より下方に延設配置されると共に、横管部１２ａの接続部に対向して配置された薄肉状の弾性変形自在な吊下げ舌片部１８とを備えている。
【００２６】
また、弁本体部１７には、吊下げ舌片部１８で仕切られた横管部１２ａが接続された側と反対側の縦管部１２ｂの空間部と、流出管１４側の空間部とを連通させる上下方向の連通路１９が形成されている。即ち本実施形態においては、弁本体部１７は、半円柱状の閉塞体部１７ａと、該閉塞体部１７ａにおける弧状壁面と反対側の平面壁面の幅方向中央より弧状壁面と反対側で径方向に突設された支持壁部１７ｂとからなり、支持壁部１７ｂ両側の切欠状空間部によりそれぞれ連通路１９が形成された構造とされている。
【００２７】
さらに、弁本体部１７における閉塞体部１７ａの上面は、図１ないし図３に示されるように、連通路１９方向に対して下降傾斜する排水案内面１７ｃとされている。
【００２８】
前記吊下げ舌片部１８の上端部における連通路１９側の表面には、図２に示されるように、幅方向に沿って弾性体よりなる薄肉状の横方向補強リブ１８ａが備えられている。そして、吊下げ舌片部１８の幅方向両側部および中央部においては、この横方向補強リブ１８ａの下縁より上下方向に沿って弾性体よりなる薄肉状の縦方向補強リブ１８ｂがそれぞれ適宜長さ備えられている。このような補強リブ１８ａ，１８ｂは、吊下げ舌片部１８の対応部分を若干厚肉に形成する方法や別途形成して接着する方法等を適宜採用すればよい。
【００２９】
また、弁本体部１７の上面には、セット向き視認リブ２０が平面視で吊下げ舌片部１８と直交して上向きに突設された構造とされている。この際、セット向き視認リブ２０は支持壁部１７ｂと同幅で、一体的に形成されている。
【００３０】
そして、このセット向き視認リブ２０は、支持壁部１７ｂの上部で側面視円弧状に形成されると共に、閉塞体部１７ａの上部で側面視略直角状に形成されており、その長さ方向両側で形状を異にした構造とされている。
【００３１】
また、本実施形態においては、排出管１２における縦管部１２ｂの内径よりも、縦管部１２ｂの上端に接続される流出管１４の内径の方が僅かに細径に構成されており、弁本体部１７とセット向き視認リブ２０との相互間に対応する段差部２１が形成されている。
【００３２】
本実施形態は以上のように構成されており、逆止弁１６を装着する場合には、縦管部１２ｂの上端部に、逆止弁１６の装着向きを所望の方向に合わせた状態で弾性に抗して押し込んでいく。この逆止弁１６の装着向きは、連通路１９が横管部１２ａの接続部と反対側になるようにセットすればよく、セット向き視認リブ２０の形状の違いにより、所望の向きに容易に合わせることができ、セットする向きの間違いを有効に防止できる。
【００３３】
そして、逆止弁１６の縦管部１２ｂへの押し込みに際しては、逆止弁１６の弁本体部１７における下部を縦管部１２ｂ内に一部押し込んだ状態で、流出管１４側の締付けナット体２２を縦管部１２ｂ上端部の雄ネジ部に螺合締結していけば、逆止弁１６は段差部２１を介して漸次押し込まれていく。
【００３４】
逆止弁１６の押し込み状態においては、弁本体部１７の弾性変形により、連通路１９部分を除いて、その外周面が縦管部１２ｂの内周面に密着した状態となっている。
【００３５】
そして、排水口３を水栓等の蓋体によって閉塞し、シンク２内に水を溜めた状態で洗い物をするとき等において、溢水孔１３からオーバーフローした排水は、流出管１４を通じて、逆止弁１６の連通路１９から縦管部１２ｂ内に案内され、下流側に排出されていく。
【００３６】
この際、閉塞体部１７ａの上面が、連通路１９方向に対して下降傾斜する排水案内面１７ｃとされているため、溢水孔１３からオーバーフローした排水は連通路１９方向に円滑に案内され、排水の流れが円滑になされる利点がある。
【００３７】
また、生ゴミ等の厨芥を破砕処理する場合には、厨芥投入口５から水と共に厨芥を投入すれば、下部の破砕室６において、固定刃７とスイングハンマ８との協働により破砕され、その破砕された厨芥は小さな粒子となって排出室１０へと案内される。
【００３８】
そして、破砕された厨芥と水との排水は、図５に示されるように、排出室１０の排出口１０ａから横管部１２ａ、縦管部１２ｂを通じて下流側に排出されていく。この際、横管部１２ａの接続部に対向して配置された吊下げ舌片部１８は破砕された厨芥等の排水の衝突により、図５に示されるように、遊端側である下端側が横管部１２ａの接続部と反対側の縦管部１２ｂの内面側に接触するように撓み変形し、この吊下げ舌片部１８の湾曲状の撓み変形により、このような排水を下流側に円滑に案内する案内機能が有効に発揮できる利点がある。
【００３９】
さらに、この厨芥等の排水による排水状態で、下流側の排水経路における排水性の悪化により、排水経路内の水位が上昇してきた場合には、吊下げ舌片部１８の撓み変形による吊下げ舌片部１８と縦管部１２ｂの内周面との接触により、連通路１９が閉塞された状態となっているため、流出管１４側への逆流を防止することができ、ここに逆流防止機能が有効に発揮できる利点がある。
【００４０】
また、吊下げ舌片部１８の上部に幅方向の横方向補強リブ１８ａが備えられているため、その補強効果により、吊下げ舌片部１８における厨芥等の排水の衝突による撓み変形の繰り返しに起因する弁本体部１７と吊下げ舌片部１８との接続部分での破損が有効に防止でき、耐久性向上が図れる。
【００４１】
さらに、吊下げ舌片部１８の幅方向両側部および中央部に上下方向の縦方向補強リブ１８ｂが備えられているため、各縦方向補強リブ１８ｂによる補強効果により、吊下げ舌片部１８の両側部および中央部における不用意な変形が有効に防止でき、吊下げ舌片部１８による連通路１９側排水路の閉塞状態がより良好に確保でき、逆流防止効果がより有効に発揮できる利点がある。
【００４２】
なお、上記実施形態において、第１の排水として溢水孔１３からオーバーフローした排水を合流させる構造を示しているが、シンク２に備えられた洗剤やスポンジをストックしておくシンクポケット等からのドレイン用排水を合流させる構造等であってもよく、何ら実施形態の構造に限定されない。
【００４３】
また、セット向き視認リブ２０の形状も実施形態の形状構造に何ら限定されず、適宜決定すればよい。
【図面の簡単な説明】
【００４４】
【図１】本発明の実施形態の使用例を示す概略側面図である。
【図２】逆止弁の斜視図である。
【図３】図２の反対側からの斜視図である。
【図４】逆止弁の平面図である。
【図５】厨芥処理装置使用時における概略側面図である。
【符号の説明】
【００４５】
１  厨芥処理装置
２  シンク
３  排水口
１２  排出管
１２ａ  横管部
１２ｂ  縦管部
１３  溢水孔
１６  逆止弁
１７  弁本体部
１７ｃ  排水案内面
１８  吊下げ舌片部
１８ａ  横方向補強リブ
１８ｂ  縦方向補強リブ
１９  連通路
２０  セット向き視認リブ
【図１】
2008121338.tif 000003
【図２】
2008121338.tif 000004
【図３】
2008121338.tif 000005
【図４】
2008121338.tif 000006
【図５】
2008121338.tif 000007